(57)【特許請求の範囲】
【請求項１】
パーソナルコンピュータと接続されるＰＣＭＣＩＡインターフェイスと、ＰＣＭＣＩＡインターフェイスと接続されたＵＡＲＴおよびスクラッチパッドメモリと、ＵＡＲＴと接続されたＣＰＵとが備えられ、パーソナルコンピュータから出入力されるデータをＰＣＭＣＩＡインターフェイスとＵＡＲＴとＣＰＵとを介して外部に送受信するデータ通信機であって、
前記ＣＰＵと前記スクラッチパッドメモリとを接続するアクセス手段が設けられ、前記アクセス手段を経て前記ＣＰＵから前記スクラッチパッドメモリへのアクセスを可能とし、
パーソナルコンピュータから外部に送受信されるデータは、前記ＰＣＭＣＩＡインターフェイスと前記ＵＡＲＴと前記ＣＰＵとを接続するＵＡＲＴ経路を経て外部に送受信され、かつ、当該データ通信機の制御コマンドや通知情報に関するデータは、前記アクセス手段を経て前記ＣＰＵから前記スクラッチパッドメモリ及び前記ＰＣＭＣＩＡインターフェイスを介してパーソナルコンピュータに送受信され、
パーソナルコンピュータから外部にデータを送受信する経路と、当該データ通信機の制御コマンドや通知情報に関するデータを送受信する経路は、互いに干渉することなく、独立して設けられていることを特徴とするデータ通信機 。
【請求項２】
前記アクセス手段には接続の許可および禁止を切換える切換手段が設けられ、該切換手段は、パーソナルコンピュータからＰＣＭＣＩＡインターフェイスとＵＡＲＴとＣＰＵとを介して制御されることを特徴とする請求項１記載のデータ通信機。
【発明の詳細な説明】
【０００１】
【発明の属する技術分野】
本発明は、データの送受信を行うデータ通信機に関する。
【０００２】
【従来の技術】
現在、データ通信機には、ＰＨＳ（Ｐｅｒｓｏｎａｌ  ＨａｎｄｙｐｈｏｎｅＳｙｓｔｅｍ）や携帯電話などの移動体通信と、モデムとを備えたものがある。例えば、データ通信機としてＰＨＳに対応したカード型データ通信機８（以下、カードと略す）があり、図３に示す。
【０００３】
このカード８は、図示しないパーソナルコンピュータ（以下、ＰＣと略す）と接続されるＰＣＭＣＩＡインターフェイス８３と、ＰＣＭＣＩＡインターフェイス８３を介してＰＣから入出力されたデータを送受信するＵＡＲＴ部８１と、ＵＡＲＴ部８１に送受信したデータを解析して実行するＰＨＳ部８２とを備えている。
【０００４】
前記ＵＡＲＴ部８１は、制御コマンドや通知情報のデータを一時的に格納するスクラッチパッドメモリ８１１（以下、ＳＰＭと略す）と、送受信するデータの信号を、パラレル信号からシリアル信号もしくはシリアル信号からパラレル信号に変換するＵＡＲＴ８１２とを備えている。
【０００５】
前記ＰＨＳ部８２は、データの送受信などこのカード８の命令プログラムを解析して実行するＣＰＵ８２１と、ＵＡＲＴ８１２に送受信したデータを外部に送受信するアンテナ８２２とを備えている。
【０００６】
ＰＣＭＣＩＡインターフェイス８３をＰＣの入出力ポートに差し込んで、カード８とＰＣとを接続する。ＰＣからカード８に入出力されたデータは、ＰＣＭＣＩＡインターフェイス８３を介してＵＡＲＴ８１２に送信され、ＣＰＵ８２１を経てアンテナ８２２から外部に送受信される。
【０００７】
また、ＳＰＭ８１１は、ＰＣのＣＰＵの命令プログラムにより、ＰＣＭＣＩＡインターフェイス８３を介してＰＣにアクセスされる。その結果、ＰＣの表示部でＳＰＭ８１１に格納されているデータが表示される。
【０００８】
このように、ＰＣとＳＰＭ８１１とを接続する経路をカード８に設けることで、ＰＣから外部にデータを送受信するだけでなく、ＳＰＭ８１１に格納されているデータもＰＣに送受信することができる。
【０００９】
【発明が解決しようとする課題】
しかし、このカード８には、ＰＣのＣＰＵとカード８のＣＰＵ８２１との間の通信経路が上記した一つしかないため、外部へＰＣのデータを送受信している間、受信レベルなどのカードの情報をＰＣに送受信することができなかった。これは、ＰＣのデータを送受信している間、送受信するデータで通信経路が占有されてしまうからである。このため、ＰＣの表示部で受信レベルなどのカードの情報を表示させるには、待ち受け中などデータの送受信を行っていない時に限られていた。
【００１０】
この点を解決したデータ通信機がある。例えば、特開平０９−１６７１２５に示されるようなカード９があり、図４に示す。
【００１１】
このカード９は、図示しないＰＣと接続されるＰＣＭＣＩＡインターフェイス９１と、ＰＣＭＣＩＡインターフェイス９１を介してＰＣから入出力されるデータを送受信する通信ポート９２と、通信ポート９２に送受信したデータをＲＦブロック９３を介して外部に送受信するアンテナ９４と、データの送受信などこのカード９の命令プログラムを解析して実行するＣＰＵ９５とを備えている。なお、符号９６はアトリビュートメモリ、符号９７は通信制御ブロックを示す。
【００１２】
また、図示しないＰＣには、このカード９専用のドライバソフトおよびアプリケーションソフトが組み込まれている。
【００１３】
ＰＣＭＣＩＡインターフェイス９１をＰＣの入出力ポートに差し込んで、カード９とＰＣとを接続する。ＰＣからカード９に入出力されたデータは、通信ポート９２を介して通信制御ブロック９７、ＲＦブロック９３を経てアンテナ９４から外部に送受信される。
【００１４】
さらにこのカード９には電界強度ポート９８が設けられている。この電界強度ポート９８はＰＣＭＣＩＡインターフェイス９１を介してＰＣに接続されている。
【００１５】
電界強度ポート９８を設けることで、ＰＣにカード９の受信レベルのデータを読み込ませてＰＣの表示部に受信レベルが表示される。また、ＣＰＵ９５から電界強度ポート９８にアクセスすることができる。このカード９を用いることで、外部にデータを送受信している間であっても、ＰＣの表示部で受信レベルが表示できた。
【００１６】
しかし、上記したカード９では、外部にデータを送受信している間、ＰＣの表示部で受信レベルなどのカードの情報を表示することができるようにデバイス（電界強度ポート９８）を設けているが、そのデバイスに対応したアプリケーションソフトを別途開発し、アプリケーションソフトがＰＣに組み込まれていなければならない。このように上記したカード９では、新たにデバイスを設けてそれに対応したアプリケーションソフトを開しなければならず、コストが嵩んでしまうといった問題があった。
【００１７】
そこで、上記課題を解決するために本発明は、新たにデバイスを設けることなく、外部とデータを送受信している間、受信レベルは勿論のこと、制御コマンドや通知情報のデータもＰＣの表示部で表示したり、ＰＣから制御したりすることができるデータ通信機を提供することを目的とする。
【００１８】
【課題を解決するための手段】
上記目的を達成するため本発明に係るデータ通信機は、ＰＣと接続されるＰＣＭＣＩＡインターフェイスと、ＰＣＭＣＩＡインターフェイスと接続されたＵＡＲＴおよびスクラッチパッドメモリと、ＵＡＲＴと接続されたＣＰＵとが備えられ、ＰＣから出入力されるデータをＰＣＭＣＩＡインターフェイスとＵＡＲＴとＣＰＵとを介して外部に送受信するデータ通信機であって、前記ＣＰＵと前記スクラッチパッドメモリとを接続するアクセス手段が設けられ、前記アクセス手段を経て前記ＣＰＵから前記スクラッチパッドメモリへのアクセスを可能とし、パーソナルコンピュータから外部に送受信されるデータは、前記ＰＣＭＣＩＡインターフェイスと前記ＵＡＲＴと前記ＣＰＵとを接続するＵＡＲＴ経路を経て外部に送受信され、かつ、当該データ通信機の制御コマンドや通知情報に関するデータは、前記アクセス手段を経て前記ＣＰＵから前記スクラッチパッドメモリ及び前記ＰＣＭＣＩＡインターフェイスを介してパーソナルコンピュータに送受信され、パーソナルコンピュータから外部にデータを送受信する経路と、当該データ通信機の制御コマンドや通知情報に関するデータを送受信する経路は、互いに干渉することなく、独立して設けられていることを特徴とする。
【００１９】
本発明によれば、前記ＣＰＵと前記スクラッチパッドメモリとを接続するアクセス手段が設けられ、前記アクセス手段を経て前記ＣＰＵから前記スクラッチパッドメモリへのアクセスを可能とし、パーソナルコンピュータから外部に送受信されるデータは、前記ＰＣＭＣＩＡインターフェイスと前記ＵＡＲＴと前記ＣＰＵとを接続するＵＡＲＴ経路を経て外部に送受信され、かつ、当該データ通信機の制御コマンドや通知情報に関するデータは、前記アクセス手段を経て前記ＣＰＵから前記スクラッチパッドメモリ及び前記ＰＣＭＣＩＡインターフェイスを介してパーソナルコンピュータに送受信され、パーソナルコンピュータから外部にデータを送受信する経路と、当該データ通信機の制御コマンドや通知情報に関するデータを送受信する経路は、互いに干渉することなく、独立して設けられているので、ＰＣから外部にデータを送受信している間であっても、制御コマンドや通知情報のデータをアクセス手段およびＰＣＭＣＩＡインターフェイスを介してＰＣに送受信して、ＰＣの表示部で表示したり、ＰＣから制御したりすることが可能となる。また、新たにデバイスを設けていないので、そのデバイスに対応したドライバソフトも不要である。
【００２０】
上記アクセス手段には接続の許可および禁止を切換える切換手段が設けられ、該切換手段は、ＰＣからＰＣＭＣＩＡインターフェイスタとＵＡＲＴとＣＰＵとを介して制御されてもよい。
【００２１】
この場合、アクセス手段に切換手段が設けられているので、この構成に対応したアプリケーションソフトでそのまま使用することができる。
【００２２】
【発明の実施の形態】
以下、本発明の実施の形態について図面を参照して説明する。なお、以下に示す各実施の形態では、データ通信機としてＰＨＳに対応したカードに本発明を適用した場合を示す。しかしこれに限定されるものではなく、ＰＣに接続できるデータ通信機であれば形態は問わない。
【００２３】
〈実施の形態１〉
図１は、本発明を適用したカード１の構成を示すブロック図である。
【００２４】
このカード１は、図示しないＰＣと接続されるＰＣＭＣＩＡインターフェイス１３と、ＰＣＭＣＩＡインターフェイス１３を介してＰＣから入出力されたデータを送受信するＵＡＲＴ部１１と、ＵＡＲＴ部１１に送受信したデータを解析して実行するＰＨＳ部１２とを備えている。
【００２５】
前記ＵＡＲＴ部１１は、制御コマンドや通知情報のデータを一時的に格納するＳＰＭ１１１と、送受信するデータの信号を、パラレル信号からシリアル信号もしくはシリアル信号からパラレル信号に変換するＵＡＲＴ１１２とを備えている。
【００２６】
前記ＰＨＳ部１２は、データの送受信などこのカード１の命令プログラムを解析して実行するＣＰＵ１２１と、ＵＡＲＴ１１２に送受信したデータを外部に送受信するアンテナ１２２とを備えている。
【００２７】
また、ＣＰＵ１２１とＳＰＭ１１１とを接続するアクセス手段１５が設けられ、ＣＰＵ１２１からＳＰＭ１１１へのアクセスを可能とする。
【００２８】
このカード１におけるデータの送受信について説明する。
【００２９】
まず、ＰＣから外部に送受信されるデータは、ＰＣＭＣＩＡインターフェイス１３とＵＡＲＴ１１２とＣＰＵ１２１とを接続するＵＡＲＴ経路１４を経てアンテナ１２２から送受信される。
【００３０】
詳説すると、ＰＣから外部に送信されるデータが入力されると、このデータはＰＣからＰＣＭＣＩＡインターフェイス１３を介してＵＡＲＴ１１２に送信される。送信されたデータの信号は、ＵＡＲＴ１１２でパラレル信号からシリアル信号に変換される。変換されたデータは、ＣＰＵ１２１を介してアンテナ１２２から外部に送信される。また、外部から送信されて来たデータがアンテナ１２２で受信されると、このデータはＣＰＵ１２１を介してＵＡＲＴ１１２に送信される。送信されたデータの信号は、ＵＡＲＴ１１２でシリアル信号からパラレル信号に変換される。変換されたデータは、ＰＣＭＣＩＡインターフェイス１３を介してＰＣに送信されて、ＰＣの表示部に表示される。
【００３１】
また、カード１の制御コマンドや通知情報を送受信するデータは、前記アクセス手段１５を経て送受信される。
【００３２】
詳説すると、ＰＣから入力される命令プログラムが、ＰＣＭＣＩＡインターフェイス１３を介してＳＰＭ１１１に格納されているデータに書き込まれる。書き込まれたデータは、ＳＰＭ１１１にアクセスしてきたＣＰＵ１２１で解析される。解析された結果、ＣＰＵ１２１から実行する命令プログラムがＳＰＭ１１１に送信されて、ＳＰＭ１１１に格納されているデータが更新される。更新されたデータはＰＣＭＣＩＡインターフェイス１３を介してＰＣに送信されてＰＣの表示部に表示される。
【００３３】
以上説明したように、上記二つのデータを送受信する経路は、互いに干渉することなく、独立して設けられている。そのため、ＵＡＲＴ経路１４を用いて外部とデータを送受信している間であっても、アクセス手段１５を用いることでカード１の制御コマンドや通知情報のデータをＰＣと送受信することができる。例えば、外部にデータを送受信している時の受信レベルを随時表示することができ、受信レベルを安定させた状態でデータの送受信が行える。
【００３４】
また、このカード１は、ＳＰＭへのアクセスを可能とする既存のドライバソフトでそのまま使用することができる。
【００３５】
〈実施の形態２〉
図２も、図１と同様に本発明を適用したカード２の構成を示すブロック図である。この実施の形態は、上記実施の形態１と、ＣＰＵ１２１とＳＰＭ１１１との間に設けられたアクセス手段１５に切換手段１５１を設けた点で異なるだけであり、他の構成およびデータの送受信については同じである。したがって、実施の形態１と同様の構成要素には同一の符号を付し、その説明およびデータの送受信については省略する。
【００３６】
前記切換手段１５１は、カード２の制御コマンドや通知情報のデータをＣＰＵ１２１に送受信することを許可（以下、ＯＮと称す）および禁止（以下、ＯＦＦと称す）するものである。
【００３７】
切換手段１５１のＯＮおよびＯＦＦは次の方法で切換えられる。外部に送受信するデータがＰＣからＵＡＲＴ経路１４を経てアンテナ１２２に送信される時、同時にＣＰＵ１２１が予め決められた切換コマンドを解析して実行し、切換手段１５１のＯＮおよびＯＦＦが切換えられる。前記接続手段１５に対応したアプリケーションソフトを用いる場合は、ＣＰＵ１２１が切換コマンドを解析して実行することでＯＮに設定される。
【００３８】
また、この切換手段１５１は初期設定がＯＦＦに設定されている。このため、カード２は、この構成に対応したアプリケーションソフトでそのまま使用することができる。
【００３９】
【発明の効果】
以上、説明したように本発明によれば、新たにデバイスを設けることなく、外部とデータを送受信している間、受信レベルは勿論のこと、制御コマンドや通知情報もＰＣの表示部で表示したり、ＰＣから制御したりすることができる。
【００４０】
また、新たにデバイスを設けていないので、既存のドライバソフトおよびアプリケーションソフトでそのまま使用することができる。
【図面の簡単な説明】
【図１】本発明のデータ通信機の実施の形態１を示すブロック図。
【図２】本発明のデータ通信機の実施の形態２を示すブロック図。
【図３】従来のデータ通信機の形態１を示すブロック図。
【図４】従来のデータ通信機の形態２を示すブロック図。
【符号の説明】
１、２  カード型データ通信機
１１１  スクラッチパッドメモリ
１１２  ＵＡＲＴ
１２１  ＣＰＵ
１３    ＰＣＭＣＩＡインターフェイス
１５    アクセス手段
１５１  切換手段
【図１】
0003905307.tif 000002
【図２】
0003905307.tif 000003
【図３】
0003905307.tif 000004
【図４】
0003905307.tif 000005